【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
発信者によって発信された商品または役務に関する商品情報が記載されたＷｅｂページを閲覧する閲覧者の端末から、前記商品情報の送信先を取得する送信先収集手段と、
前記Ｗｅｂページに記載された商品又は役務に関するキーワードを前記閲覧者の端末から受け付け、当該キーワードと、前記送信先と、前記発信者のＩＤとを紐付けて記憶するキーワード登録手段と、
前記キーワードに基づいて取得された商品情報と、当該キーワードと紐付けて記憶された前記発信者のＩＤとを、当該キーワードと紐付けて記憶された前記送信先へ送信する商品情報送信手段と、
を備えたことを特徴とする情報仲介サーバ。
【請求項２】
請求項１に記載の情報仲介サーバにおいて、
前記商品情報が記載されたＷｅｂページにアクセスして、前記閲覧者によって商品または役務が購入された場合、前記発信者のＩＤに基づき、成果報酬のポイントを加算する成果報酬ポイント加算手段を更に備えたことを特徴とする情報仲介サーバ。
【請求項３】
請求項１または請求項２に記載の情報仲介サーバにおいて、
前記商品情報送信手段が、前記キーワードおよび商品情報を選定するための条件に基づいた商品情報と、前記発信者のＩＤとを、前記送信先に送信することを特徴とする情報仲介サーバ。
【請求項４】
請求項１から請求項３のいずれか１項に記載の情報仲介サーバにおいて、
前記商品情報送信手段が、前記キーワードに基づいて取得された商品情報と、当該商品情報に付加する情報と、前記発信者のＩＤとを、前記送信先に送信することを特徴とする情報仲介サーバ。
【請求項５】
請求項３または請求項４に記載の情報仲介サーバにおいて、
他のユーザが登録したキーワードに基づき、商品情報を選定または情報を付加することを特徴とする情報仲介サーバ。
【請求項６】
請求項１から請求項５のいずれか１項に記載の情報仲介サーバにおいて、
前記商品情報送信手段が、前記キーワードおよび当該キーワードに関連した情報に基づいて取得された商品情報と、前記発信者のＩＤとを、前記送信先に送信することを特徴とする情報仲介サーバ。
【請求項７】
情報を提供する情報仲介サーバの情報提供方法であって、
前記情報仲介サーバが、発信者によって発信された商品または役務に関する商品情報が記載されたＷｅｂページを閲覧する閲覧者の端末から、前記商品情報の送信先を取得する送信先収集ステップと、
前記情報仲介サーバが、前記Ｗｅｂページに記載された商品又は役務に関するキーワードを前記閲覧者の端末から受け付け、当該キーワードと、前記送信先と、前記発信者のＩＤとを紐付けて記憶するキーワード登録ステップと、
前記情報仲介サーバが、前記キーワードに基づいて取得された商品情報と、当該キーワードと紐付けて記憶された前記発信者のＩＤとを、当該キーワードと紐付けて記憶された前記送信先へ送信する商品情報送信ステップと、
を含むことを特徴とする情報提供方法。
【請求項８】
コンピュータを、
発信者によって発信された商品または役務に関する商品情報が記載されたＷｅｂページを閲覧する閲覧者の端末から、前記商品情報の送信先を取得する送信先収集手段、
前記Ｗｅｂページに記載された商品又は役務に関するキーワードを前記閲覧者の端末から受け付け、当該キーワードと、前記送信先と、前記発信者のＩＤとを紐付けて記憶するキーワード登録手段、および、
前記キーワードに基づいて取得された商品情報と、当該キーワードと紐付けて記憶された前記発信者のＩＤとを、当該キーワードと紐付けて記憶された前記送信先へ送信する商品情報送信手段として機能させることを特徴とする情報提供プログラム。
【請求項９】
商品または役務に関する商品情報を提供する情報提供サーバと、
前記情報提供サーバから前記商品情報を受信して閲覧者に提供する情報仲介サーバと、を備え、
前記情報仲介サーバが、
発信者によって発信された商品または役務に関する商品情報が記載されたＷｅｂページを閲覧する閲覧者の端末から、前記商品情報の送信先を取得する送信先収集手段と、
前記Ｗｅｂページに記載された商品又は役務に関するキーワードを前記閲覧者の端末から受け付け、当該キーワードと、前記送信先と、前記発信者のＩＤとを紐付けて記憶するキーワード登録手段と、
前記キーワードに基づいて取得された商品情報と、当該キーワードと紐付けて記憶された前記発信者のＩＤとを、当該キーワードと紐付けて記憶された前記送信先へ送信する商品情報送信手段と、
を有することを特徴とする情報提供システム。
【手続補正２】
【補正対象書類名】明細書
【補正対象項目名】００１０
【補正方法】変更
【補正の内容】
【００１０】
上記課題を解決するために、請求項１に記載の発明は、発信者によって発信された商品または役務に関する商品情報が記載されたＷｅｂページを閲覧する閲覧者の端末から、前記商品情報の送信先を取得する送信先収集手段と、前記Ｗｅｂページに記載された商品又は役務に関するキーワードを前記閲覧者の端末から受け付け、当該キーワードと、前記送信先と、前記発信者のＩＤとを紐付けて記憶するキーワード登録手段と、前記キーワードに基づいて取得された商品情報と、当該キーワードと紐付けて記憶された前記発信者のＩＤとを、当該キーワードと紐付けて記憶された前記送信先へ送信する商品情報送信手段と、を備えたことを特徴とする。
【手続補正３】
【補正対象書類名】明細書
【補正対象項目名】００１１
【補正方法】変更
【補正の内容】
【００１１】
請求項２に記載の発明は、請求項１に記載の情報仲介サーバにおいて、前記商品情報が記載されたＷｅｂページにアクセスして、前記閲覧者によって商品または役務が購入された場合、前記発信者のＩＤに基づき、成果報酬のポイントを加算する成果報酬ポイント加算手段を更に備えたことを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項３に記載の発明は、請求項１または請求項２に記載の情報仲介サーバにおいて、前記商品情報選定手段が、前記キーワードおよび商品情報を選定するための条件に基づいた商品情報と、前記発信者のＩＤとを、前記送信先に送信することを特徴とする。
【手続補正７】
【補正対象書類名】明細書
【補正対象項目名】００１５
【補正方法】変更
【補正の内容】
【００１５】
請求項４に記載の発明は、請求項１から請求項３のいずれか１項に記載の情報仲介サーバにおいて、前記商品情報送信手段が、前記キーワードに基づいて取得された商品情報と、当該商品情報に付加する情報と、前記発信者のＩＤとを、前記送信先に送信することを特徴とする。
【手続補正８】
【補正対象書類名】明細書
【補正対象項目名】００１６
【補正方法】変更
【補正の内容】
【００１６】
請求項５に記載の発明は、請求項３または請求項４に記載の情報仲介サーバにおいて、他のユーザが登録したキーワードに基づき、商品情報を選定または付加することを特徴とする。
【手続補正９】
【補正対象書類名】明細書
【補正対象項目名】００１７
【補正方法】変更
【補正の内容】
【００１７】
請求項６に記載の発明は、請求項１から請求項５のいずれか１項に記載の情報仲介サーバにおいて、前記商品情報送信手段が、前記キーワードおよび当該キーワードに関連した情報に基づいて取得された商品情報と、前記発信者のＩＤとを、前記送信先に送信することを特徴とする。
【手続補正１０】
【補正対象書類名】明細書
【補正対象項目名】００１８
【補正方法】変更
【補正の内容】
【００１８】
請求項７に記載の発明は、情報を提供する情報仲介サーバの情報提供方法であって、前記情報仲介サーバが、発信者によって発信された商品または役務に関する商品情報が記載されたＷｅｂページを閲覧する閲覧者の端末から、前記商品情報の送信先を取得する送信先収集ステップと、前記情報仲介サーバが、前記Ｗｅｂページに記載された商品又は役務に関するキーワードを前記閲覧者の端末から受け付け、当該キーワードと、前記送信先と、前記発信者のＩＤとを紐付けて記憶するキーワード登録ステップと、前記情報仲介サーバが、前記キーワードに基づいて取得された商品情報と、当該キーワードと紐付けて記憶された前記発信者のＩＤとを、当該キーワードと紐付けて記憶された前記送信先へ送信する商品情報送信ステップと、を含むことを特徴とする。
【手続補正１１】
【補正対象書類名】明細書
【補正対象項目名】００１９
【補正方法】変更
【補正の内容】
【００１９】
請求項８に記載の発明は、コンピュータを、発信者によって発信された商品または役務に関する商品情報が記載されたＷｅｂページを閲覧する閲覧者の端末から、前記商品情報の送信先を取得する送信先収集手段、前記Ｗｅｂページに記載された商品又は役務に関するキーワードを前記閲覧者の端末から受け付け、当該キーワードと、前記送信先と、前記発信者のＩＤとを紐付けて記憶するキーワード登録手段、および、前記キーワードに基づいて取得された商品情報と、当該キーワードと紐付けて記憶された前記発信者のＩＤとを、当該キーワードと紐付けて記憶された前記送信先へ送信する商品情報送信手段として機能させることを特徴とする。
【手続補正１２】
【補正対象書類名】明細書
【補正対象項目名】００２０
【補正方法】変更
【補正の内容】
【００２０】
請求項９に記載の発明は、商品または役務に関する商品情報を提供する情報提供サーバと、前記情報提供サーバから前記商品情報を受信して閲覧者に提供する情報仲介サーバと、を備え、前記情報仲介サーバが、発信者によって発信された商品または役務に関する商品情報が記載されたＷｅｂページを閲覧する閲覧者の端末から、前記商品情報の送信先を取得する送信先収集手段と、前記Ｗｅｂページに記載された商品又は役務に関するキーワードを前記閲覧者の端末から受け付け、当該キーワードと、前記送信先と、前記発信者のＩＤとを紐付けて記憶するキーワード登録手段と、前記キーワードに基づいて取得された商品情報と、当該キーワードと紐付けて記憶された前記発信者のＩＤとを、当該キーワードと紐付けて記憶された前記送信先へ送信する商品情報送信手段と、を有することを特徴とする。
【手続補正１３】
【補正対象書類名】明細書
【補正対象項目名】００２１
【補正方法】変更
【補正の内容】
【００２１】
本発明によれば、ユーザが興味を持つ商品等に関するキーワードを登録するだけで、そのユーザを慕うユーザやそのユーザの知人等のユーザに商品情報を自動的に拡散することができ、アフィリエイトの成果報酬のための商品情報を効率よく提供できる。